(57)【要約】【課題】  複数のサービス信号が重畳している回線において、ジャンパ線の張り替え作業なしに、重畳している他のサービスを中断させることなく、対象となるサービスの信号だけを簡単かつ迅速に遮断する。【解決手段】  切り分け装置１は、所定の周波数帯域の信号を遮断するフィルタ部１１、通信線３を流れる信号ＡおよびＢを迂回させる挿入部１３、およびフィルタ部１１と挿入部１３を接続するケーブル部１２から構成され、該挿入部１３が、バネ状接点４に直列に挿入されるようになっている。また、挿入部１３は、絶縁部１３２の両端を導通部１３１が隣接する構成となっており、両導通部１３１は、バネ状接点４の一方もしくは他方とそれぞれ接するようになっている。これにより、フィルタ部１１は、通信線３から挿入部１３およびケーブル部１２を介して迂回してきた信号ＡおよびＢのうち、信号Ｂを遮断し、信号Ａは透過させるようになっている。【選択図】      図３
2005159881.tif 000002
【特許請求の範囲】
【請求項１】
複数のサービス信号が重畳している回線において、該複数のサービス信号のうち所望の１又は複数のサービス信号を切り分ける信号切り分け方法であって、
前記複数のサービス信号が重畳している回線の任意の地点に、所定の周波数帯域の信号を遮断する切り分け装置を挿入し、
前記回線を流れる前記複数のサービス信号を前記切り分け装置を通過するように迂回させ、
前記所定の周波数帯域を有する１又は複数の前記サービス信号を遮断することを特徴とする信号切り分け方法。
【請求項２】
前記任意の地点は、バネ状接点となっており、前記切り分け装置を該バネ状接点に割り込ませることを特徴とする請求項１記載の信号切り分け方法。
【請求項３】
前記任意の地点は、２つの接続端子間であり、前記切り分け装置を該接続端子間に割り込ませ、該接続端子間の前記回線ははずすことを特徴とする請求項１記載の信号切り分け方法。
【請求項４】
複数のサービス信号が重畳している回線において、該複数のサービス信号のうち所望の１又は複数のサービス信号を切り分ける信号切り分け装置であって、
前記複数のサービス信号が重畳している回線の任意の地点に挿入し、前記回線を流れる前記複数のサービス信号を迂回させる挿入部と、
所定の周波数帯域の信号を遮断するフィルタ部と、
前記フィルタ部と前記挿入部とを接続するケーブル部と、
を有し、前記フィルタ部は、前記挿入部および前記ケーブル部を介して迂回してきた前記所定の周波数帯域を有する１又は複数の前記サービス信号を遮断することを特徴とする信号切り分け装置。
【請求項５】
前記任意の地点は、バネ状接点であり、
前記挿入部は、前記バネ状接点の一方に接する第１の導通部と、前記バネ状接点の他方に接する第２の導通部と、前記第１の導通部および前記第２の導通部の間に設けられた絶縁部を備え、
前記フィルタ部は、前記第１および第２の導通部とそれぞれ前記ケーブル部を介して接続されていることを特徴とする請求項４記載の信号切り分け装置。
【請求項６】
前記任意の地点は、２つの接続端子間であり、該接続端子間の前記回線ははずされ、
前記挿入部は、一方の前記接続端子に接続された第１の挿入部と、他方の前記接続端子に接続された第２の挿入部と、を備え、
前記フィルタ部は、前記第１および第２の挿入部とそれぞれ前記ケーブル部を介して接続されていることを特徴とする請求項４記載の信号切り分け装置。
【発明の詳細な説明】
【技術分野】
【０００１】
本発明は、複数のサービス信号が重畳している回線においてサービス信号を切り分ける信号切り分け方法および信号切り分け装置に関する。
【背景技術】
【０００２】
現在、複数のサービスが重畳している回線において、所定のサービスに故障が発生し、所定のサービス信号を遮断する場合には、該回線を有する通信会社は、ジャンパ作業が必要となっている。図５は、利用者宅２に電話サービスおよびｘＤＳＬ（Digital Subscriber Line）サービスを提供している通信システムの概略機器構成を示している。図５によれば、利用者宅２は、回線３を介して通信会社施設５と接続されており、さらに詳しくは、電話信号は、回線３、端子盤５３ａ、端子盤５３ｂ、装置架５１の分配器５１１、端子盤５３ｃ、端子盤５３ｄ、および装置架５２の伝送装置５２１（例えば、交換機など）を介して電話網７に流れるようになっている。また、ｘＤＳＬ信号は、回線３、端子盤５３ａ、端子盤５３ｂ、装置架５１の分配器５１１、および伝送装置５１２（例えば、局内モデムなど）を介して、ＩＳＰ網６に流れるようになっている。
【０００３】
従って、このような通信システムの機器構成において、例えば、ｘＤＳＬサービスに故障が発生し、ｘＤＳＬ信号を遮断するには、端子盤５３ａと端子盤５３ｂを結ぶジャンパ線ａを撤去して、図６に示すように、端子盤５３ａと５３ｄを結ぶジャンパ線ｂを新設する必要がある。
【０００４】
尚、この出願に関連する先行技術文献情報としては、次のものがある。
【非特許文献１】梅山伸二、半坂剛著，「最新技術解説  入門ｘＤＳＬ」，技術評論社，平成１１年１１月２５日，ｐ．８０
【発明の開示】
【発明が解決しようとする課題】
【０００５】
しかしながら、上述したようなジャンパ作業の間は、重畳している電話信号も遮断されるため、故障していない電話サービスも停止されてしまうという課題がある。また、ジャンパ作業は人手による作業であるため、誤切断のおそれがあるという課題がある。さらには、ジャンパ作業後には、配線を元に戻さなければならないので、同様のジャンパ作業が必要となり、作業時間がかかるという課題がある。
【０００６】
本発明は、上記の課題を解決するためになされたものであり、複数のサービス信号が重畳している回線において、ジャンパ線の張り替え作業なしに、重畳している他のサービスを中断させることなく、対象となるサービスの信号だけを簡単かつ迅速に遮断する信号切り分け方法および信号切り分け装置を提供することを目的とする。
【課題を解決するための手段】
【０００７】
上記目的を達成するため、請求項１記載の本発明は、複数のサービス信号が重畳している回線において、該複数のサービス信号のうち所望の１又は複数のサービス信号を切り分ける信号切り分け方法であって、前記複数のサービス信号が重畳している回線の任意の地点に、所定の周波数帯域の信号を遮断する切り分け装置を挿入し、前記回線を流れる前記複数のサービス信号を前記切り分け装置を通過するように迂回させ、前記所定の周波数帯域を有する１又は複数の前記サービス信号を遮断することを要旨とする。
【０００８】
請求項２記載の本発明は、請求項１記載の発明において、前記任意の地点は、バネ状接点となっており、前記切り分け装置を該バネ状接点に割り込ませることを要旨とする。
【０００９】
請求項３記載の本発明は、請求項１記載の発明において、前記任意の地点は、２つの接続端子間であり、前記切り分け装置を該接続端子間に割り込ませ、該接続端子間の前記回線ははずすことを要旨とする。
【００１０】
請求項４記載の本発明は、複数のサービス信号が重畳している回線において、該複数のサービス信号のうち所望の１又は複数のサービス信号を切り分ける信号切り分け装置であって、前記複数のサービス信号が重畳している回線の任意の地点に挿入し、前記回線を流れる前記複数のサービス信号を迂回させる挿入部と、所定の周波数帯域の信号を遮断するフィルタ部と、前記フィルタ部と前記挿入部とを接続するケーブル部と、を有し、前記フィルタ部は、前記挿入部および前記ケーブル部を介して迂回してきた前記所定の周波数帯域を有する１又は複数の前記サービス信号を遮断することを要旨とする。
【００１１】
請求項５記載の本発明は、請求項４記載の発明において、前記任意の地点は、バネ状接点であり、前記挿入部は、前記バネ状接点の一方に接する第１の導通部と、前記バネ状接点の他方に接する第２の導通部と、前記第１の導通部および前記第２の導通部の間に設けられた絶縁部を備え、前記フィルタ部は、前記第１および第２の導通部とそれぞれ前記ケーブル部を介して接続されていることを要旨とする。
【００１２】
請求項６記載の本発明は、請求項４記載の発明において、前記任意の地点は、２つの接続端子間であり、該接続端子間の前記回線ははずされ、前記挿入部は、一方の前記接続端子に接続された第１の挿入部と、他方の前記接続端子に接続された第２の挿入部と、を備え、前記フィルタ部は、前記第１および第２の挿入部とそれぞれ前記ケーブル部を介して接続されていることを要旨とする。
【発明の効果】
【００１３】
本発明によれば、複数のサービス信号が重畳している回線において、ジャンパ線の張り替え作業なしに、重畳している他のサービスを中断させることなく、対象となるサービスの信号だけを簡単かつ迅速に遮断する信号切り分け方法および信号切り分け装置を提供することができる。
【００１４】
これにより、故障切り分け作業において、故障原因となっている信号のみを遮断することが簡単にでき、以て、原因の特定の迅速化が図れるとともに他のサービスを保護することができる。また、切り分け装置の挿入および引き抜きだけで済むので、作業時間が大幅に短縮されるとともに、ジャンパ作業が不要となるので、ジャンパ線の誤切断による２次故障を防止することができる。
【発明を実施するための最良の形態】
【００１５】
以下、本発明の実施の形態を図面を用いて説明する。
【００１６】
＜第１の実施の形態＞
図１は、本発明の第１の実施の形態に係る切り分け装置（以下、アダプタともいう）１が適用された通信システムの概略機器構成を示している。図１に示す通信システムは、利用者宅２に電話サービスおよびｘＤＳＬ（Digital Subscriber Line）サービスを提供するようになっており、利用者宅２は、回線３を介して通信会社施設５と接続されている。さらに詳しくは、電話信号（以下、信号Ａという）は、回線３、端子盤５３ａ、端子盤５３ｂ、装置架５１の分配器５１１、端子盤５３ｃ、端子盤５３ｄ、および装置架５２の伝送装置５２１（例えば、交換機など）を介して電話網７に流れるようになっている。また、ｘＤＳＬ信号（以下、信号Ｂという）は、回線３、端子盤５３ａ、端子盤５３ｂ、装置架５１の分配器５１１、および伝送装置５１２（例えば、局内モデムなど）を介して、ＩＳＰ網６に流れるようになっている。
【００１７】
このようなネットワーク環境において、切り分け装置１は、信号ＡおよびＢが重畳している重畳区間ｄ１の回線上に挿入されるもので、所定の周波数帯域の信号を遮断するようになっている。図２は、信号ＡおよびＢの周波数領域を示す一例であるが、例えば、切り分け装置１が、周波数ｆ１以上の周波数の信号を遮断するようになっている場合信号Ｂは遮断されるが、信号Ａは透過する機能を有することになる。このように、切り分け装置１は、重畳区間ｄ１において、所望の周波数帯域を有するサービス信号を遮断することができるようになっている。
【００１８】
次に、本実施の形態に係る切り分け装置１の構成について具体的に説明する。ここで、図３（ａ）は、切り分け装置１が挿入される接続環境を示す図、図３（ｂ）は、切り分け装置１の構成及び挿入形態を示す図である。図３によれば、切り分け装置１は、所定の周波数帯域の信号を遮断するフィルタ部１１、通信線３を流れる信号ＡおよびＢを迂回させる挿入部１３、およびフィルタ部１１と挿入部１３を接続するケーブル部１２から構成され、該挿入部１３が、通信線３を接続している地点のバネ状接点４に直列に挿入されるようになっている。また、挿入部１３は、絶縁部１３２の両端を導通部１３１が隣接する構成となっており、該挿入部１３をバネ状接点４に割り込ませることにより、各導通部１３１は、バネ状接点４の一方もしくは他方とそれぞれ接するようになっている。これにより、フィルタ部１１は、通信線３から挿入部１３およびケーブル部１２を介して迂回してきた信号ＡおよびＢのうち、信号Ｂを遮断し、信号Ａは透過させるようになっている。
【００１９】
従って、本実施の形態に係る切り分け装置１によれば、複数のサービス信号が流れている回線において、ジャンパ線の張り替え作業なしに、重畳している他のサービスを中断させることなく、対象となるサービスの信号だけを簡単かつ迅速に遮断することができる。
【００２０】
これにより、故障切り分け作業において、故障原因となっている信号のみを遮断することが簡単にでき、以て、原因の特定の迅速化が図れるとともに他のサービスを保護することができる。また、切り分け装置１の挿入および引き抜きだけで済むため、作業時間が大幅に短縮されるとともに、ジャンパ作業が不要となるので、ジャンパ線の誤切断による２次故障を防止することができる。
【００２１】
＜その他の実施の形態＞
図４（ａ）は、第２の実施の形態に係る切り分け装置１’が挿入される接続環境を示す図、図４（ｂ）は、切り分け装置１’の構成及び挿入形態を示す図である。図４によれば、切り分け装置１’は、所定の周波数帯域の信号を遮断するフィルタ部１１、通信線３を流れる信号ＡおよびＢを迂回させる挿入部１３’、およびフィルタ部１１と挿入部１３’を接続するケーブル部１２から構成され、該挿入部１３’それぞれは、通信線３をネジ等で接続している接続端子８に接続され、接続端子８間の回線ははずされている。これにより、フィルタ部１１は、通信線３から挿入部１３’およびケーブル部１２を介して迂回してきた信号ＡおよびＢのうち、信号Ｂを遮断し、信号Ａは透過させるようになっている。
【００２２】
従って、本実施の形態に係る切り分け装置１’によれば、第１の実施の形態と同じ効果を得ることができる。
【００２３】
以上、本発明の実施の形態について説明してきたが、本発明の要旨を逸脱しない範囲において、本発明の実施の形態に対して種々の変形や変更を施すことができる。例えば、上記実施の形態においては、２つの信号のうち１つの信号を遮断する場合について説明したが、本発明はこれに限定されるわけではなく、複数の信号（サービス信号の数をｎとする）のうち１又は複数のｍ（ｍ＜ｎ）個の信号を遮断することができるものである。
【００２４】
また、上記実施の形態においては、１回線に適用する場合について説明したが、複数の切り分け装置１を用いることにより、複数の回線に同時に適用できるのは勿論である。
【図面の簡単な説明】
【００２５】
【図１】本発明の第１の実施の形態に係る切り分け装置が適用された通信システムの概略機器構成図である。
【図２】本発明の第１の実施の形態に係る切り分け装置が適用された通信システムにおいて、複数のサービス信号の周波数領域を示す一例である。
【図３】本発明の第１の実施の形態に係る切り分け装置の構成及び挿入形態、並びに接続環境を示す図である。
【図４】本発明の第２の実施の形態に係る切り分け装置の構成及び挿入形態、並びに接続環境を示す図である。
【図５】複数のサービス信号が重畳している通信システムの概略機器構成を示す図である。
【図６】図５において、所定のサービス信号を遮断する従来の方法を説明する図である。
【符号の説明】
【００２６】
１，１’  切り分け装置
２  利用者宅
３  回線（通信線）
４  バネ状接点
５  通信会社施設
６  ＩＳＰ網
７  電話網
８  接続端子
１１  フィルタ部
１２  ケーブル部
１３，１３’  挿入部
２１  分配器
２２  宅内モデム
２３  電話
２４  パソコン
５１，５２  装置架
５３  端子盤
１３１  導通部
１３２  絶縁部
５１１  分配器
５１２，５２１  伝送装置
【図１】
2005159881.tif 000003
【図２】
2005159881.tif 000004
【図３】
2005159881.tif 000005
【図４】
2005159881.tif 000006
【図５】
2005159881.tif 000007
【図６】
2005159881.tif 000008